(57)【特許請求の範囲】
【請求項１】
液体の熱膨張および熱収縮を利用して温度を測定する温度計であって、
透明性を有する部材により棒状に形成された本体部と、
前記本体部内の一方端に形成され、前記液体が充填された液溜め部と、
前記液溜め部から前記本体部の長さ方向に延びて前記本体部内に形成され、前記液溜め部の前記液体が進入する細管部と、
前記本体部の長さ方向に沿って当該本体部の周方向の複数の箇所に形成された目盛りと、
それぞれの前記目盛りから見て前記細管部の背後に位置して前記本体部の長さ方向に沿って前記本体部の周方向の複数の箇所に形成された不透明な背景部とを有することを特徴とする温度計。
【請求項２】
前記目盛りと前記背景部とは、それぞれ前記本体部の周りの奇数箇所に交互に形成されていることを特徴とする請求項１記載の温度計。
【発明の詳細な説明】
【０００１】
【発明の属する技術分野】
本発明は、液体の熱膨張および熱収縮を利用して温度を測定する温度計に関するものである。
【０００２】
【従来の技術】
アルコール類や水銀などの液体の熱膨張および熱収縮を利用して温度を測定する棒状の温度計（液体温度計）は、安価であるとともに特別な操作も必要としない。これに対して、デジタル式の温度計も低価格化が進んではいるが、従来の液体温度計に比べるとスイッチの操作が必要であったり、防水性能や長期的には電源の消耗を考慮する必要もあり、さらにアナログ的なイメージを想像しにくいなどの欠点もある。
【０００３】
このようなことから、液体温度計は依然として様々な分野で広く利用されている。
【０００４】
【発明が解決しようとする課題】
しかし、この液体温度計は、示度読み取りのための目盛りが長さ方向に沿って一箇所しか設けられていない。したがって、測定された温度の読み取り時には、目を目盛りの真正面に持っていくか、温度計が固定されていないときには手で温度計を回転させて目盛りを目の真正面に持ってくることが必要になる。そして、偶然に目盛りが目の真正面にきている場合は別にして、ほとんどの場合は、目か温度計のどちらかを大きく動かす必要がある。
【０００５】
これでは、示度をスムーズに読み取ることが困難であるのみならず、目盛りの真正面が見つかりにくいので、短時間で目盛りを読み取ることができない。
【０００６】
また、液体温度計は使用に際してこのような不便さがあるので、特に学校教育現場でグループ実験をする際などにおいて、温度の測定を全員で行えず、一部のメンバーに片寄りがちになる。これは、温度計の目盛りが一箇所にしかないために、たとえば４人一組のグループで温度測定を行う場合には、椅子に座ったままで何とか頭を動かして温度読み取りが可能な場所に移動できるのは２人程度までだからである。そして、児童生徒に理科に対する興味を持たせるためにも、実験観察の機会は平等に与えられることが望ましい。
【０００７】
そこで、本発明は、無理なく示度を読み取ることができる温度計を提供することを目的とする。
【０００８】
また、本発明は、読み取り時間の短縮を図ることができる温度計を提供することを目的とする。
【０００９】
さらに、本発明は、多数の人が同時に温度読み取りを行うことのできる温度計を提供することを目的とする。
【００１０】
【課題を解決するための手段】
上記課題を解決するため、本発明に係る温度計は、液体の熱膨張および熱収縮を利用して温度を測定する温度計であって、透明性を有する部材により棒状に形成された本体部と、前記本体部内の一方端に形成され、前記液体が充填された液溜め部と、前記液溜め部から前記本体部の長さ方向に延びて前記本体部内に形成され、前記液溜め部の前記液体が進入する細管部と、前記本体部の長さ方向に沿って当該本体部の周方向の複数の箇所に形成された目盛りと、それぞれの前記目盛りから見て前記細管部の背後に位置して前記本体部の長さ方向に沿って前記本体部の周方向の複数の箇所に形成された不透明な背景部とを有することを特徴とする。
【００１１】
このような発明によれば、無理なく示度を読み取ることが可能になる。また、読み取り時間の短縮を図ることが可能になる。さらに、多数の人が同時に温度読み取りを行うことが可能になる。
【００１２】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００１３】
図１は本発明の一実施の形態である温度計を示す斜視図、図２は図１の温度計におけるII−II線に沿った断面図である。
【００１４】
図示する温度計は、アルコール類や水銀など液体１０の熱膨張および熱収縮を利用して温度を測定する温度計であり、たとえばガラスのように透明性を有する部材により、本体部１１が棒状に形成されている。なお、液体１０にはアルコール類や水銀以外のものも適用することができ、また本体部１１にはガラス以外の透明性を有する部材を適用することができる。ここで、本体部１１は透明性を有する部材で形成されていることから、透明な部材であっても半透明な部材であってもよい。
【００１５】
本体部１１の一方端には、液体１０が充填された液溜め部１２が形成されている。そして、この液溜め部１２から本体部１１の長さ方向に延びて、液溜め部１２の液体１０が進入する細管部１３が本体部１１に形成されている。
【００１６】
また、本体部１１の他方端には、たとえば紐を介してあるいは直接に温度計をフックなどに掛けてこれを柱や壁面などに吊り下げるための環状の吊り下げ部１６が形成されている。
【００１７】
本体部１１の長さ方向に沿って、示度読み取りのための目盛り１４が形成されている。また、目盛り１４から見て細管部１３の背後に位置して、同じく本体部１１の長さ方向に不透明な（たとえば白色の）背景部１５が形成されている。
【００１８】
図２に詳しく示すように、目盛り１４と背景部１５とはそれぞれ３箇所に形成されている。また、目盛り１４と背景部１５とは、交互になるようにして本体部１１の周りに形成されている。なお、目盛り１４と背景部１５とはそれぞれ２箇所あるいは４箇所以上に形成されていてもよい。但し、目盛り１４が全周にわたってほぼ均等間隔で形成されるという点ではそれぞれ３箇所あるいは５箇所、７箇所というように奇数箇所に交互に形成されているのが望ましいが、偶数箇所に形成されていてもよく、目盛り１４や背景部１５の全部あるいは一部が連続して形成されていてもよい。
【００１９】
なお、このような温度計によれば、液溜め部１２の周囲に存在する物体（気体、液体、固体）により熱膨張あるいは熱収縮した液体１０における細管部１３の先端位置での目盛り１４を読み取ることにより温度が測定される。
【００２０】
以上に説明した本実施の形態の温度計では、目盛り１４が複数の箇所に形成されている。図２に示すように、たとえば３箇所に目盛り１４が形成されている場合には、各目盛り１４は１２０度間隔で配置されることになる。したがって、温度計に対する好適な読み取り位置は１２０度おきに３箇所存在することになる。
【００２１】
これにより、手で温度計を回転させることなくわずかな目の移動により目盛り１４が真正面に来ることになり、無理なく示度を読み取ることが可能になる。
【００２２】
また、本実施の形態の温度計によれば、目盛り１４が複数の箇所に形成されているので、目盛り１４の真正面という好適な読み取り位置が素早く見つかり、読み取り時間の短縮を図ることが可能になる。
【００２３】
さらに、本実施の形態の温度計によれば、目盛り１４が複数の箇所に形成されているので、多人数が同時に温度読み取りを行うことが可能になる。たとえば、図２に示すように目盛り１４が３箇所に形成されている場合には、１つの目盛り１４に対して温度読み取りが可能な人数が２人とすると、３つの目盛り１４では６人が同時に温度読み取りを行うことが可能になる。そして、このように複数の観測者によって同時に温度読み取りを行うことができるので、一人だけによる測定結果に比べて客観性が担保され、誤差や読み取りミスが生じにくい。また、たとえば学校教育現場でのグループ実験において全員で温度測定を行うことができるため、メンバー全員に実験に対する参加意識や興味を持たせることが可能になる。
【００２４】
そして、目盛り１４と背景部１５とを本体部１１の周りの奇数箇所に交互に形成することによって目盛り１４が全周にわたってほぼ均等間隔で形成されることになるので、無理なく示度を読み取ることができる、読み取り時間の短縮を図ることができる、多数の人が同時に温度読み取りを行うことができるという利点を一層大きなものにすることができる。
【００２５】
【発明の効果】
以上の説明から明らかなように、本発明によれば以下の効果を奏することができる。
【００２６】
(1).目盛りが複数の箇所に形成されているので、手で温度計を回転させることなくわずかな目の移動により目盛りが真正面に来ることになり、無理なく示度を読み取ることが可能になる。
【００２７】
(2).また、目盛りが複数の箇所に形成されているので、目盛りの真正面である好適な読み取り位置が素早く見つかり、読み取り時間の短縮を図ることが可能になる。
【００２８】
(3).さらに、目盛りが複数の箇所に形成されているので、多人数が同時に温度読み取りを行うことが可能になる。これにより、誤差や読み取りミスが生じにくくなる。また、グループ実験においては全員で温度測定を行うことができるため、メンバー全員に実験に対する参加意識や興味を持たせることが可能になる。
【００２９】
(4).そして、目盛りと背景部とを本体部の周りの奇数箇所に交互に形成すれば目盛りが全周にわたってほぼ均等間隔で形成されることになるので、前述した無理なく示度を読み取ることができる、読み取り時間の短縮を図ることができる、多数の人が同時に温度読み取りを行うことができるという効果を一層大きなものにすることができる。
【図面の簡単な説明】
【図１】本発明の一実施の形態に係る温度計を示す斜視図である。
【図２】図１の温度計におけるII−II線に沿った断面図である。
【符号の説明】
１０  液体
１１  本体部
１２  液溜め部
１３  細管部
１４  目盛り
１５  背景部
１６  吊り下げ部
【図１】
0004242955.tif 000002
【図２】
0004242955.tif 000003